(57)【特許請求の範囲】
【請求項１】
前見頃、後見頃及び両者間に位置する股下部からなり、前見頃及び後見頃とが両側部で相互に接合されることにより、ウエスト開口部と両レッグ開口部とが形成され、且つ股下部に股下開口部を有するパンツ本体と、前記股下開口部を外面側から塞ぐようにパンツ本体に対して着脱自在に取り付けられる吸収性パットとからなる使い捨てパンツであって、
パンツ本体の股下開口部の前後側部と左右側部のパンツ本体の一部にてパンツ本体と吸収性パットとが相互に係合することにより着脱自在に取り付けられ、前記左右側部のパンツ本体の一部と吸収性パットとの係合は、パンツ本体が吸収性パットの外面側から吸収性パットを支えるようになされており、且つ
吸収性パットの長手方向両側部に立体カフが形成されていることを特徴とする使い捨てパンツ。
【請求項２】
前見頃、後見頃及び両者間に位置する股下部からなり、前見頃及び後見頃とが両側部で相互に接合されることにより、ウエスト開口部と両レッグ開口部とが形成され、且つ股下部に股下開口部を有するパンツ本体と、前記股下開口部を外面側から塞ぐようにパンツ本体に対して着脱自在に取り付けられる吸収性パットとからなる使い捨てパンツであって、
パンツ本体の股下開口部の前後側部と左右側部のパンツ本体の一部にてパンツ本体と吸収性パットとが相互に係合することにより着脱自在に取り付けられ、前記左右側部のパンツ本体の一部と吸収性パットとの係合は、パンツ本体が吸収性パットの外面側から吸収性パットを支えるようになされており、且つ
股下開口部が楕円形状であることを特徴とする使い捨てパンツ。
【請求項３】
前見頃、後見頃及び両者間に位置する股下部からなり、前見頃及び後見頃とが両側部で相互に接合されることにより、ウエスト開口部と両レッグ開口部とが形成され、且つ股下部に股下開口部を有するパンツ本体と、前記股下開口部を外面側から塞ぐようにパンツ本体に対して着脱自在に取り付けられる吸収性パットとからなる使い捨てパンツであって、
パンツ本体の股下開口部の前後側部と左右側部のパンツ本体の一部にてパンツ本体と吸収性パットとが相互に係合することにより着脱自在に取り付けられ、前記左右側部のパンツ本体の一部と吸収性パットとの係合は、パンツ本体が吸収性パットの外面側から吸収性パットを支えるようになされており、且つ
股下開口部がスリット状であることを特徴とする使い捨てパンツ。
【請求項４】
前見頃、後見頃及び両者間に位置する股下部からなり、前見頃及び後見頃とが両側部で相互に接合されることにより、ウエスト開口部と両レッグ開口部とが形成され、且つ股下部に股下開口部を有するパンツ本体と、前記股下開口部を外面側から塞ぐようにパンツ本体に対して着脱自在に取り付けられる吸収性パットとからなる使い捨てパンツであって、
パンツ本体の股下開口部の前後側部と左右側部のパンツ本体の一部にてパンツ本体と吸収性パットとが相互に係合することにより着脱自在に取り付けられ、前記左右側部のパンツ本体の一部と吸収性パットとの係合は、パンツ本体が吸収性パットの外面側から吸収性パットを支えるようになされており、且つ
パンツ本体の一部が舌片部として延出形成されていることを特徴とする使い捨てパンツ。
【請求項５】
パンツ本体に水分の吸収を妨げる様な材料を用いることを特徴とする、請求項１に記載の使い捨てパンツ。
【請求項６】
パンツ本体と吸収性パットとの係合は、メカニカルファスナによりなされることを特徴とする、請求項１に記載の使い捨てパンツ。
【発明の詳細な説明】
【０００１】
【発明の属する技術分野】
この発明は、吸収性パットを有する使い捨てパンツに関し、更に詳しくは、吸収性パットがパンツ本体に対して着用中に外れ難く、しかも取り替え時には外し易い使い捨ておむつに関する。
【０００２】
【従来の技術】
近年、介護保険の法改正があり、幼児用おむつに加え老人用おむつの需要が増加している。
このような使い捨ておむつとしては、尿等の排出物を外部に漏らさないように的確に保持しておくことが極めて重要である。
ところで、吸収性のインナーパット（本発明の吸収性パットに相当）をアウターおむつ（本発明のパンツ本体に相当）にセットして、使用するいわゆる二重構造のおむつがある。
このような二重構造のおむつは、吸収の容量が大きく取れる利点もあり極めて有用である。
【０００３】
図１２は、このような二重構造のおむつを概略的に示した正面図である。
ここでは、アウターおむつ１００の内側にインナーパット２００を取り付けていることから、アウターおむつ１００は汚れ難く、汚れたインナーパット２００のみ取り外して廃棄すればよい。
そのため、経済的であることと、更にインナーパット２００は面積が小さいために廃棄量が少なくて済み、省資源的でもある。
【０００４】
しかし、この二重構造のおむつは、アウターおむつ１００とインナーパット２００との２枚を同時に重ねて使用するために、どうしても厚みが増し、身体に装着した場合には、嵩張る欠点がある。
特に、排泄物を吸収した場合では、いわゆるゴワゴワした状態となり不快感が生じる。
更に、排尿等の用足しを行う場合等を想定すると、アウターおむつ全体を取り外して行わなければならないため、極めて面倒である。
【０００５】
このようなことから、アウターおむつに開口部を設けて、嵩張りを無くしたおむつが開発されている。
例えば特開２００１−２９５１０３号公報（図８参照）に開示されているような、外装カバー（アウターおむつに相当）の開口部に吸収性構造体（インナーパットに相当）を外面側から剥離可能に結合したおむつが提供されている。
【０００６】
このようなおむつは、確かに、嵩張ることはなくゴワゴワした状態にはならないが、吸収性構造体が外面側から外装カバーに取り付けられているために、着用中に外れ易い欠点がある。
もっとも、逆に吸収性構造体を内面側から外装カバーに取り付けることも考えられるが、今度は、取り替え時に吸収性構造体が外しにくくなる欠点がある。
本発明はこのような技術的背景をもとになされたものである。
【０００７】
【発明が解決しようとする課題】
本発明は、上記のような問題点の解決を意図したものである。
即ち、本発明の目的は、吸収性パットがパンツ本体に対して着用中に外れ難く、しかも取り替え時には外し易い使い捨ておむつを提供することである。
【０００８】
【課題を解決するための手段】
しかして、本発明者等は、このような背景をもとに、鋭意研究を重ねた結果、股下開口部を外面側から塞ぐように吸収性パットをパンツ本体に対して着脱自在とし且つパンツ本体の一部が外面側から吸収性パットを支えるようにすることで、従来の着用中の外れ易さと、しかも取り替え時の外し難さとの相反する問題点を同時に解決することを見出し、この知見に基づいて本発明を完成させたものである。
【０００９】
即ち、本発明は、（１）、前見頃、後見頃及び両者間に位置する股下部からなり、前見頃及び後見頃とが両側部で相互に接合されることにより、ウエスト開口部と両レッグ開口部とが形成され、且つ股下部に股下開口部を有するパンツ本体と、前記股下開口部を外面側から塞ぐようにパンツ本体に対して着脱自在に取り付けられる吸収性パットとからなる使い捨てパンツであって、パンツ本体の股下開口部の前後側部と左右側部のパンツ本体の一部にてパンツ本体と吸収性パットとが相互に係合することにより着脱自在に取り付けられ、前記左右側部のパンツ本体の一部と吸収性パットとの係合は、パンツ本体が吸収性パットの外面側から吸収性パットを支えるようになされており、且つ吸収性パットの長手方向両側部に立体カフが形成されている使い捨てパンツに存する。
【００１０】
そして、（２）、前見頃、後見頃及び両者間に位置する股下部からなり、前見頃及び後見頃とが両側部で相互に接合されることにより、ウエスト開口部と両レッグ開口部とが形成され、且つ股下部に股下開口部を有するパンツ本体と、前記股下開口部を外面側から塞ぐようにパンツ本体に対して着脱自在に取り付けられる吸収性パットとからなる使い捨てパンツであって、パンツ本体の股下開口部の前後側部と左右側部のパンツ本体の一部にてパンツ本体と吸収性パットとが相互に係合することにより着脱自在に取り付けられ、前記左右側部のパンツ本体の一部と吸収性パットとの係合は、パンツ本体が吸収性パットの外面側から吸収性パットを支えるようになされており、且つ股下開口部が楕円形状である使い捨てパンツに存する。
【００１３】
そしてまた、（３）、前見頃、後見頃及び両者間に位置する股下部からなり、前見頃及び後見頃とが両側部で相互に接合されることにより、ウエスト開口部と両レッグ開口部とが形成され、且つ股下部に股下開口部を有するパンツ本体と、前記股下開口部を外面側から塞ぐようにパンツ本体に対して着脱自在に取り付けられる吸収性パットとからなる使い捨てパンツであって、パンツ本体の股下開口部の前後側部と左右側部のパンツ本体の一部にてパンツ本体と吸収性パットとが相互に係合することにより着脱自在に取り付けられ、前記左右側部のパンツ本体の一部と吸収性パットとの係合は、パンツ本体が吸収性パットの外面側から吸収性パットを支えるようになされており、且つ股下開口部がスリット状である使い捨てパンツに存する。
【００１４】
そしてまた、（４）、前見頃、後見頃及び両者間に位置する股下部からなり、前見頃及び後見頃とが両側部で相互に接合されることにより、ウエスト開口部と両レッグ開口部とが形成され、且つ股下部に股下開口部を有するパンツ本体と、前記股下開口部を外面側から塞ぐようにパンツ本体に対して着脱自在に取り付けられる吸収性パットとからなる使い捨てパンツであって、パンツ本体の股下開口部の前後側部と左右側部のパンツ本体の一部にてパンツ本体と吸収性パットとが相互に係合することにより着脱自在に取り付けられ、前記左右側部のパンツ本体の一部と吸収性パットとの係合は、パンツ本体が吸収性パットの外面側から吸収性パットを支えるようになされており、且つパンツ本体の一部が舌片部として延出形成されている使い捨てパンツに存する。
【００１５】
そしてまた、（５）、パンツ本体に水分の吸収を妨げる様な材料を用いる上記（１）に記載の使い捨てパンツに存する。
【００１６】
そしてまた、（６）、パンツ本体と吸収性パットとの係合は、メカニカルファスナによりなされる上記（１）に記載の使い捨てパンツに存する。
【００１７】
本発明は、その目的に沿ってものであれば、上記１〜６の中から選ばれた２つ以上を組み合わせた構成も採用可能である。
【００１８】
【発明の実施の形態】
以下、具体的な実施の形態を挙げ図面に基づいて本発明を説明する。
本発明の使い捨ておむつの主なる特徴は、前記パンツ本体１（上記従来のアウターおむつに相当）に股下開口部１１が形成されており、吸収性パット２（上記従来のインナーパットに相当）は、前記股下開口部１１を外面側から塞ぐように取り付け可能となっており、且つパンツ本体１の一部が外面側から吸収性パット２を支えていることである。
【００１９】
〔第１の実施の形態〕
図１は、本発明の実施の形態における使い捨ておむつの着用時の状態を概略的に示した図である。
図２は、パンツ本体を概略的に示した展開図（外面側）である。
図３は、吸収性パットを概略的に示した展開図（内側面）である。
図４は、パンツ本体に吸収性パットを取り付けた状態における使い捨ておむつを概略的に示した展開図（外面側）である。
図５は、パンツ本体に吸収性パットを取り付けた状態における使い捨ておむつを概略的に示した正面図である。
【００２０】
〔パンツ本体〕
まず、パンツ本体１１について簡単に説明する。
図１に示すように、パンツ本体１は、前身頃Ａ、後身頃Ｂ及び両者間に位置する股下部Ｃからなり、前身頃Ａと後身頃Ｂとが両側部で接合（固定）されることにより、ウエスト開口部１３と両レッグ開口部１４とが形成されている。
更に、パンツ本体１には股下開口部１１が形成されており、後述する吸収性パット２は、その股下開口部１１を塞ぐように外面側から取り付け可能となっており、基本的に、吸収性パッド２と共に用いる。
【００２１】
図２に示すように、この股下開口部１１には、吸収性パット２を取り付けるための係合手段が設けられている。
即ち、パンツ本体１の股下域における股下開口部１１の左右側部の内面側（肌側面）には、後述する吸収性パット２を脱着可能となるよう係合させるため、第１係合部材ｆ１が取り付けられている。このパンツ本体の第１係合部材ｆ１には、例えばメカニカルファスナ（この場合、脱着がワンタッチで簡単に行える）が用いられ、これを吸収性パットに押し付けることで、確実な固定が可能となるが、この際、第１係合部材ｆ１は、パンツ本体が、吸収性パットの外面側から該吸収性パットを支えることができるように、図４に示すように吸収性パット２の外面側に係合固定される。
【００２２】
尚、第１係合部材ｆ１には、吸収性パット２のパンツ本体１に対する着脱が可能となるような部材であれば、如何なるものでも使用できる。
また、股下部に股下開口部１１が形成されているが、この形状は、後述する吸収性パット２との係合のし易さの点から、図２に示すように、楕円形であることが好ましいが、図１０に示すように、スリット状であってもよい。
また、図８に示すように、２個のみならず、用途によって複数個有していてもよい。
【００２３】
尚、パンツ本体１には、通常、使い捨ておむつに用いられる材料であれば問題なく用いることができ、撥水性を有するシートや、液不透過性のシートなどのように、水分の吸収を妨げるような材料を用いることで、水分の吸収性パットへの吸収がより促されるため好ましい。また、特に、伸縮性を有する材料も好ましく用いることができるが、これにより、着用者へのフィット性が向上し、着用者の動きに追従し易くなるため、着用時に定めた股下開口部１１と性器との位置にズレを生じにくくさせることが可能となる。更に、水分の吸収を妨げ、且つ伸縮性を有する材料によれば、パンツ本体１が撥水しつつ、股下開口部１１に性器が当たるようにフィットさせることが可能なので、パンツ本体１の股下開口部１１の大きさを小さくするとともに、着用者の肌が汚れるのを防ぐことができる。
また、パンツ本体１のウエスト部には複数の図示しない弾性紐体が止着されており、この伸縮力によりウエストギャザーが形成されている。
ウエストギャザーは、使い捨ておむつを装着した際、身体の腰を締め付てズリ下がりを防止する。
【００２４】
〔吸収性パット〕
次に、吸収性パット２は、先述したように、パンツ本体１の股下開口部１１を塞ぐようにして取り付けられるものであり、十分な吸収性を有するものである。その構造は、液透過性の表面シートと液不透過性の裏面シートと両者の間に介在する吸収性コアとを有することが好ましい。なお、吸収性コアは、通常、解繊パルプと高吸収性ポリマーとを透水性のティッシュで包んだ構造となっている。
【００２５】
吸収性パット２は、股下開口部１１を（詳しくは開口Ｈを）塞ぐ大きさがあればよく、パンツ本体１の展開大きさより、その面積が小さく作られており、パンツ本体１に添着されて使用される。
吸収性パット２は、通常、扱い易さの点から長方形が好ましい。
【００２６】
また吸収性パット２には、図３にその位置を示すように、その長手方向の両側部の近傍に立体防濾機能を有するいわゆる立体カフ２１が形成されることが好ましい。
この立体カフ２１は、液不透過性の部材により形成され、起立状の自由縁部には図示しない弾性伸縮部材（例えば、天然ゴム、合成ゴムウレタン等よりなる）を装備することでギャザー状になって起立する。この立体カフ２１が立体防漏壁となって作用するため、吸収性パット２に吸収された排泄物が外方に漏れ出るのを極力防止することができる。
【００２７】
また吸収性パット２は、パンツ本体１の股下開口部１１を通して内面に露出しているために、直接、肌面に接触して尿等の排泄物を吸収し、排泄物で汚れた場合などに取り替えられる。
尚、本発明の使い捨てパンツは、パンツ本体１を着用したまま、吸収性パット２の着脱が可能であるため、吸収性パット２が汚れた場合には、吸収性パット２の取り替えのみで再び使い捨てパンツとして使用できることは言うまでもない。吸収性パット２の吸収に頼らず、自力で排泄したい場合には、吸収性パット２を取り外し、普通に便所などに排泄して、排泄後、再びパンツ本体１に吸収性パット２を取り付けるような使い方をすることも可能である。
【００２８】
吸収性パット２の前後端部の内面側（肌側面）には、図３に示すように、パンツ本体１における股下開口部１１の前後側部に対して外面側から脱着可能となるよう係合させるため、第２係合部材ｆ２が取り付けられている。この第２係合部材ｆ２には、例えばメカニカルファスナが用いられ、これをパンツ本体１に押し付けることで、確実な固定が可能となる。尚、第２係合部材ｆ２には、パンツ本体に対する着脱が可能となるような部材であれば、如何なるものでも使用できる。
【００２９】
〔パンツ本体１に対する吸収性パット２の取り付け〕
パンツ本体１に吸収性パット２を取り付ける場合、図４に示すように、吸収性パット２の内面側に備わっている前後端部の第２係合部材ｆ２を、パンツ本体１の股下開口部１１の外面側の前後側部に止着する。
そして、パンツ本体１の股下開口部１１の内側面に備わっている左右側部の第１係合部材ｆ１を吸収性パット２の外面側に係合固定させる。
【００３０】
この場合、吸収性パット２は、股下開口部１１を塞いで外面側からパンツ本体１に取り付けられている状態であるが、パンツ本体１の一部によって、内方へ支えられている状態となる。すなわち、パンツ本体１の一部が外面側に出て吸収性パット２を支持しているのである。
このような状態では、パンツ本体１の股下開口部１１の部分は、吸収性パット２だけであり、従来のようにパンツ本体１と吸収性パット２の２枚が重なって二重になることはない。そのために、一枚であり厚みも薄く、いわゆるゴワゴワした感触にもならない。
【００３１】
次いで、着用者が用足しを行う場合を想定する。
パンツ本体１から吸収性パット２を外方から強く引っ張る。するとパンツ本体１に対する吸収性パット２の係合状態が解けて両者は相分離される。そのため股下開口部１１を塞ぐものは無くなり、そのままパンツ本体１を付けた状態で用足しをすることができるのである。
【００３２】
この場合、吸収性パット２が外面側から支持されているのはパンツ本体１の一部だけなので、容易に相互の分離が可能である。吸収性パット２の取り外しは、当然、このような用足しの場合だけではなく、パンツ本体１を着用して排尿等の排泄をした後にも行われる。
このような排泄等のために、吸収性パット２をパンツ本体１から取り外す場合にも上述のような作業で簡単に行える。パンツ本体１を脱がずに吸収性パット２のみを容易に外すことができることは、極めて便利である。
【００３３】
〔第２の実施の形態〕
図６は、そのパンツ本体１を概略的に示した展開図（外面側）である。
図７は、パンツ本体１に吸液性パット２を取り付けた状態におけるパンツ型おむつを概略的に示した展開図（外面側）である。
【００３４】
先述した第１の実施の形態は、パンツ本体１の股下開口部１１の開口Ｈが長円形であったが、この実施の形態では、図６に示すように、パンツ本体１の一部が舌片部１２として延出形成されていること、すなわち、長円形の左右側部の中程が縮幅になって舌片部１２が延出形成されていることが特徴である。
【００３５】
この場合にも、吸収性パット２の前後端部の内面側（肌側面）の第２係合部材ｆ２を、パンツ本体１の股下開口部１１の前後側部に外面側から係合固定し、他方では、パンツ本体１の舌片部１２の内面側に備わっている第１係合部材ｆ１を、吸収性パット２に外面側から係合固定する。
【００３６】
このように吸収性パット２を外面側から舌片部１２で支えるように係合固定することができるが、パンツ本体１の舌片部１２が延出形成されているために、吸液性パット２を保持する力がより確実となり、吸液性パット２が尿等を吸って重くなった場合にもパンツ本体１から外れることはない。
【００３７】
〔第３の実施の形態〕
図８は、本発明の第３の実施の形態の使い捨ておむつにおけるパンツ本体１を概略的に示した展開図（外面側）である。
図９、パンツ本体１に吸収性パット２を取り付けた状態における使い捨ておむつを概略的に示した展開図（外面側）である。
図８に示すように、この股下開口部１１の開口Ｈは、パンツ本体１の前後に一定距離離れて独立して複数（ここでは２つ）形成されており、例えば、パンツ本体１の長手方向前方の開口Ｈは排尿用として、また後方の開口Ｈは排便用としてのものである。
【００３８】
２つ開口Ｈを有する股下開口部１１は、図９に示すように外側から１枚の吸収性パット２によって塞がれ、おむつを内面側から見た場合、２つの開口Ｈから吸収性パット２が露出する状態となる。
各股下開口部１１におけるパンツ本体１と吸収性パット２との相互の取り付け態様は、先述した第１の実施の形態と同じであり、またパンツ本体１に対する吸収性パット２の取り外し方法も第１の実施の形態と同様である。
一方、股下開口部１１の数に合わせて、吸収性パット２の数を調節することも可能である。
【００３９】
〔第４の実施の形態〕
図１０は、本発明の第４の実施の形態の使い捨ておむつおけるそのパンツ本体１を概略的に示した展開図（外面側）である。
図１１は、パンツ本体１に吸収性パット２を取り付けた状態における使い捨ておむつを概略的に示した展開図（外面側）である。
【００４０】
第１の実施の形態は、パンツ本体１の股下開口部１１の開口Ｈが楕円状となって一定の広さを持っていたものであるが、この実施の形態では、図１０に示すように、股下開口部１１が前後方向にスリット状に形成されているものである。
スリット状の股下開口部１１の左右側部には、第１係合部材ｆ１が取り付けられている。このスリット状の股下開口部１１（スリットＳ）は、両側を引っ張ることで容易に口を開き一定の広さの開口Ｈとなる。
図１１に示すように、股下開口部１１を押し広げて開いた状態とし、その開口した部分を塞ぐように吸収性パット２を取り付ける。
【００４１】
この場合も、吸収性パット２の前後端部の内面側（肌側面）の第２係合部材ｆ２を、パンツ本体１のスリット状の股下開口部１１の前後側部に対して外面側から係合固定する。
そして、パンツ本体１の股下開口部１１の左右側部にある第１係合部材ｆ１を、外面側から吸収性パット２を支持するようにして係合固定する。
これでパンツ本体１の股下開口部１１に吸収性パット２が塞がれるように取り付けられる。内面側から見た場合、スリット状の股下開口部１１から吸収性パット２が露出する状態となる。
【００４２】
以上、本発明を説明してきたが、本発明は、実施の形態に限定されるものではなく、その本質から逸脱しない範囲で、他の種々な変形例が可能であることは言うまでもない。
例えば、パンツ本体１の第１係合部材ｆ１は、単独で用いる場合は雄部材を採用し、係合力を上げる観点から両方に設ける場合は、対応する部分の吸収性パット２に雌部材を設けることもある。
また、吸収性パット２の第２係合部材ｆ２についても同様なことがいえる。
【００４３】
また、パンツ本体１の第１係合部材ｆ１や吸収性パット２の第２係合部材ｆ２の数は、適宜選択可能である。そして、係合手段として前述したメカニカルファスナの他に粘着剤を有するテープ等を使用することも可能である。
またパンツ本体１は、身体に装着されるものであれば、その形は自由である。また、その取り付け位置も実施の形態に限定されるものではない。また、本発明の使い捨てパンツは、単体で着用してもよいし、上から下着を着用して使用することも可能である。
【００４４】
【発明の効果】
本発明の使い捨ておむつは、吸収性パット２がパンツ本体１に対して着用中に外れ難く、しかも取り替え時には外し易い。
そして着用したまま、吸収性パット２の取替えが可能なので極めて便利であり、また少量の尿漏れ等の場合、パンツ本体１を取り替えることなく、吸収性パット２のみの取り替えが可能なので経済的でもある。
【００４５】
パンツ本体１を着用したまま吸収性パット２のみを外して、自ら排便・排尿をすることも可能である。
また、パンツ全体を取り替えることなく、吸収性パット２のみの取り替えなので、ゴミの量を少なくすることができ環境によい。
また吸収性パット２の長手方向両側部に立体カフ２１を有することにより、より防漏効果が発揮され、着用者に漏れによる不快感を与えない。
【００４６】
本発明の使い捨てパンツの係合手段によると、パンツ本体１に対する吸収性パット２の取り付けが強固となるため着用者の動きに対して極めて安定性がある。また、吸収性パット２の大きさを比較的小さくすることができ、着用者へごわつき等による不快感が防止される。
またパンツ本体１に水分の吸収を妨げるような材料を用いることで、水分の吸収性パットへの吸収がより促される。
【図面の簡単な説明】
【図１】本発明の第１の実施の形態における使い捨ておむつの着用時の状態を概略的に示した図である。
【図２】本発明の第１の実施の形態におけるパンツ本体を概略的に示した展開図である。
【図３】本発明の第１の実施の形態における吸収性パットを概略的に示した展開図である。
【図４】本発明の第１の実施の形態におけるパンツ本体に吸収性パットを取り付けた状態の使い捨ておむつを概略的に示した展開図である。
【図５】本発明の第１の実施の形態におけるパンツ本体に吸収性パットを取り付けた状態の使い捨ておむつを概略的に示した正面図である。
【図６】本発明の他の一例におけるパンツ本体を概略的に示した展開図である。
【図７】本発明の他の一例におけるパンツ本体に吸液性パットを取り付けた状態の使い捨ておむつを概略的に示した展開図である。
【図８】本発明の他の一例におけるパンツ本体を概略的に示した展開図である。
【図９】本発明の他の一例におけるパンツ本体に吸液性パットを取り付けた状態の使い捨ておむつを概略的に示した展開図である。
【図１０】本発明の他の一例におけるパンツ本体を概略的に示した展開図である。
【図１１】本発明の他の一例におけるパンツ本体に吸液性パットを取り付けた状態の使い捨ておむつを概略的に示した展開図である。
【図１２】従来の使い捨ておむつにおけるパンツ型おむつを概略的に示した正面図である。
【符号の説明】
１…パンツ本体
１１…股下開口部
１２…舌片部
１３…ウエスト開口部
１４…レッグ開口部
２…吸収性パット
２１…立体カフ
Ａ…前身頃
Ｂ…後身頃
Ｃ…股下部
Ｈ…開口
Ｓ…スリット
ｆ１…第１係合部材
ｆ２…第２係合部材
１００…アウターおむつ
２００…インナーパッド
【図１】
0003971229.tif 000002
【図２】
0003971229.tif 000003
【図３】
0003971229.tif 000004
【図４】
0003971229.tif 000005
【図５】
0003971229.tif 000006
【図６】
0003971229.tif 000007
【図７】
0003971229.tif 000008
【図８】
0003971229.tif 000009
【図９】
0003971229.tif 000010
【図１０】
0003971229.tif 000011
【図１１】
0003971229.tif 000012
【図１２】
0003971229.tif 000013